(57)【要約】【課題】ハーフＰＣ床版上にトッピングコンクリートを打設することで形成される床において、小梁を完全に省略し、かつ大梁の横座屈を防止する。【解決手段】大梁２間に敷き並べたハーフＰＣ床版１上にトッピングコンクリート４を打設することで形成される床の構造において、ハーフＰＣ床版の版厚と略同等の高さ寸法の連結材７をハーフＰＣ床版間に配置して大梁間に架設した状態でトッピングコンクリート中に埋設することにより、その連結材によって大梁どうしを連結してその横座屈を防止する。連結材はハーフＰＣ床版間に打設されるトッピングコンクリートに対する底型枠の機能を有する。大梁の下端部と連結材との間に補剛用の斜材１２を設ける。【選択図】　　　図３
2004052369.tif 000002
【特許請求の範囲】
【請求項１】
大梁間に敷き並べたハーフＰＣ床版上にトッピングコンクリートを打設することで形成される床の構造であって、ハーフＰＣ床版の版厚と略同等の高さ寸法の連結材をハーフＰＣ床版間に配置して大梁間に架設した状態でトッピングコンクリート中に埋設することにより、その連結材によって大梁どうしを連結して大梁の横座屈を防止するようにしたことを特徴とする床の構造。
【請求項２】
連結材はハーフＰＣ床版間に打設されるトッピングコンクリートに対する底型枠の機能を有することを特徴とする請求項１記載の床の構造。
【請求項３】
大梁の下端部と連結材との間に補剛用の斜材を設けたことを特徴とする請求項１または２記載の床の構造。
【発明の詳細な説明】
【０００１】
【発明の属する技術分野】
本発明は、穴明きＰＣ床版等のハーフＰＣ床版を用いた床の構造に関する。
【０００２】
【従来の技術】
建物の床の構造として、ハーフＰＣ床版と称されるプレキャストコンクリート製のパネルを大梁間に敷き並べ、それを床型枠としてその上にトッピングコンクリートを打設することで床を形成するものがある。このような構造の床に用いるハーフＰＣ床版としては、軽量化および断熱性確保を目的として中空孔を有し、かつプレストレスを導入して充分な強度を確保した穴明きＰＣ床版が広く採用されている。
【０００３】
【発明が解決しようとする課題】
ハーフＰＣ床版による上記のような構造の床では、在来工法による単なるコンクリートスラブに較べて全体の床厚はやや大きくなるが、在来工法では床を支持するために大梁間に多数設ける必要のある小梁を大幅に削減ないし省略することが可能であり、床の構造の簡略化および施工の合理化を図ることができる。しかし、小梁を完全に省略する場合には大梁の横座屈に対する強度を充分に確保できないことも想定され、その場合には何等かの対策が必要となる。
【０００４】
【課題を解決するための手段】
上記事情に鑑み、請求項１の発明は、大梁間に敷き並べたハーフＰＣ床版上にトッピングコンクリートを打設することで形成される床の構造であって、ハーフＰＣ床版の版厚と略同等の高さ寸法の連結材をハーフＰＣ床版間に配置して大梁間に架設した状態でトッピングコンクリート中に埋設することにより、その連結材によって大梁どうしを連結して大梁の横座屈を防止するようにしたことを特徴とする。
【０００５】
請求項２の発明は、上記の床の構造において、連結材はハーフＰＣ床版間に打設されるトッピングコンクリートに対する底型枠の機能を有することを特徴とする。
【０００６】
請求項３の発明は、上記の床の構造において、大梁の下端部と連結材との間に補剛用の斜材を設けたことを特徴とする。
【０００７】
【発明の実施の形態】
図１〜図４は本発明の一実施形態を示す。本実施形態ではハーフＰＣ床版１として穴明きＰＣ床版を採用し、図１〜図２に示すようにそのハーフＰＣ床版１を大梁２間に敷き並べ、その上に床筋３を配筋したうえでトッピングコンクリート４を打設してハーフＰＣ床版１とトッピングコンクリート４とによる床を形成し、大梁２に対してはスタッド５を介して一体化するようにしている。なお、床の厚さは適宜設計すれば良いが、通常の建物の場合の設計例としては、ハーフＰＣ床版１の厚みを１５０ｍｍ程度、トッピングコンクリート４の厚みを８０ｍｍ程度、したがって床の全厚は２３０ｍｍ程度とすることが一般的である。また、図示例の建物の基本構造は鉄骨造であって、柱６としては角形鋼管が採用され、大梁２としてはＨ形鋼が採用されている。図１における左半部はハーフＰＣ床版１の割り付けを示し、右半部は床筋３の配筋状態を示している。
【０００８】
在来工法の場合には床を支持するための小梁を大梁２間に架設することが通常であるが、本実施形態ではそのような小梁を一切省略しており、それに代えて、大梁２どうしを連結してそれら大梁２の横座屈を防止するための連結材７を床内に内蔵させるようにしている。連結材７としては、図３〜図４に示すようにハーフＰＣ床版１の版厚とほぼ同等の高さ寸法の小断面の鋼材（たとえば高さ１５０ｍｍ程度のＨ形鋼）が用いられ、それが図１に示すように所定の間隔でハーフＰＣ床版１の間に配置されて大梁２間に架設され、ハーフＰＣ床版１間に打設されるトッピングコンクリート４中にそのまま埋設されるようになっている。なお、図３（ｂ）に示すように、連結材７にはその下部両側にアングル材８が予め取り付けられていて、それらアングル材８に対して左右のハーフＰＣ床版１の側面を当接させることにより、この連結材７が左右のハーフＰＣ床版１間の隙間を塞いでトッピングコンクリート４を打設する際の底型枠としても機能するようになっている。
【０００９】
また、図４に示すように、連結材７は所定長さの鋼材が適宜の位置でスプライスプレート９を介して長さ方向に連結されて大梁２間に架設され、その下フランジが大梁２の上フランジに対してスタッド１０（あるいはボルト）により締結されて強固に連結されている。そして、その連結部においては大梁２の側面にリブプレート１１が取り付けられ、そのリブプレート１１の下部と連結材７の下面との間には補剛用の斜材１２が設けられ、これにより大梁２と連結材７は確実強固に連結されて、大梁２に対する連結材７の横ずれや、連結材７に対する大梁２の横方向への転倒が防止され、大梁２の横座屈が確実に防止されるようになっている。なお、斜材１２としてはアングル材等の形鋼を採用すれば良く、上記のリブプレート１１および連結材７の下面に設けたガセットプレート１３に対してボルト締結あるいは溶接すれば良い。
【００１０】
本実施形態の構造の床によれば、連結材７によって大梁２の横座屈を有効に防止できるので在来工法における小梁を支障なく完全省略できることはもとより、連結材７を完全に床に内蔵させて床の下面側ないし上面側へは突出しないものとしたので、小梁を設ける場合のように有効階高が小さくなるようなこともない。また、その施工もハーフＰＣ床版１を敷き並べる工程と相前後して連結材７を大梁２間に架設していき、かつ要所に斜材１２を取り付けるだけで良いから何等面倒ではないし、連結材７自体がハーフＰＣ床版１間の底型枠として機能するので型枠工事も不要であり、必要な資材も連結材７として床に内蔵し得る程度の小断面の鋼材と、斜材１２として用いる形鋼だけであるから、小梁を設ける場合に較べればコスト的にも有利である。
【００１１】
以上で本発明の一実施形態を説明したが、本発明は上記実施形態に限定されることなく、たとえば以下に列挙するような適宜の応用や変更が可能である。
【００１２】
上記実施形態ではハーフＰＣ床版１として穴明きＰＣ床版を採用したが、ハーフＰＣ床版１は床型枠として敷き並べられてその上部にトッピングコンクリート４が打設されることで床を形成するものであれば良く、その限りにおいて中実断面のものや、表面にリブあるいはコッターを設けたもの等、適宜のハーフＰＣ床版を任意に採用可能であり、プレストレスの有無も任意である。勿論、ハーフＰＣ床版１の形状や寸法は、所望位置において連結材７を挟む形態で敷き並べることができる限りにおいて任意であるし、その割り付けも任意である。
【００１３】
上記実施形態では連結材７として小断面のＨ形鋼を採用したが、連結材７はハーフＰＣ床版１の版厚と同等程度の高さ寸法であって床内に内蔵することができ、かつ大梁２の横座屈を有効に防止できる強度を有するものであれば良く、さらに好ましくはそれ自体でハーフＰＣ床版１間の隙間を塞いでトッピングコンクリート４打設の際の底型枠として機能するものであれば良く、その限りにおいて連結材７の断面形状や寸法は任意である。勿論、連結材７の設置間隔は大梁２に対する所望の座屈防止強度が確保できるように設定すれば良く、それに応じてハーフＰＣ床版１の割り付けを決定すれば良い。
【００１４】
上記実施形態では連結材７を大梁に対してスタッド５あるいはボルトにより連結するようにしたが、たとえばそれらを直接的に溶接する等、それらの連結の形態は任意である。また、連結材７のみで大梁２に対する充分な座屈防止強度を確保できる場合には上記実施形態における斜材１２は必ずしも必要とせず、それを省略することも可能である。
【００１５】
【発明の効果】
請求項１の発明は、ハーフＰＣ床版の版厚と略同等の高さ寸法の連結材を床に内蔵させ、その連結材によって大梁どうしを連結して大梁の横座屈を防止するようにしたので、在来工法においては必要とされる小梁を支障なく完全省略することが可能であり、小梁を設ける場合に較べて有効階高を大きく確保でき、施工性に優れ、コスト的にも有利であり、極めて有効である。
【００１６】
請求項２の発明は、連結材にハーフＰＣ床版間に打設されるトッピングコンクリートに対する底型枠の機能を持たせたので、ハーフＰＣ床版間を塞ぐための格別の底型枠を必要とせず、施工性に優れる。
【００１７】
請求項３の発明は、大梁の下端部と連結材との間に補剛用の斜材を設けたので、大梁の横座屈をより確実に防止することが可能である。
【図面の簡単な説明】
【図１】本発明の実施形態である床の構造を示す平面図である。
【図２】同、要部拡大断面図であり、（ａ）は図１におけるＩＩａ−ＩＩａ線視図、（ｂ）は同じくＩＩｂ−ＩＩｂ線視図である。
【図３】同、要部拡大断面図であり、（ａ）は図１におけるＩＩＩａ−ＩＩＩａ線視図、（ｂ）は（ａ）におけるＩＩＩｂ部の拡大図である。
【図４】同、要部拡大断面図であり、（ａ）は図３（ａ）におけるＩＶａ−ＩＶａ線視図、（ｂ）は（ａ）におけるＩＶｂ−ＩＶｂ線視図である。
【符号の説明】
１　ハーフＰＣ床版
２　大梁
４　トッピングコンクリート
７　連結材
１２　斜材
【図１】
2004052369.tif 000003
【図２】
2004052369.tif 000004
【図３】
2004052369.tif 000005
【図４】
2004052369.tif 000006